(57)【要約】【課題】着用時の脚回りの動きを確保しつつ、履き心地を向上させる。【解決手段】腹側胴回り部（２０）及び背側胴回り部（３０）は、腹側胴回り伸縮部材（２３）及び背側胴回り伸縮部材（３３）を有し、吸収性コア（１１Ａ）は前側コア部（１１Ａｆ）と後側コア部（１１Ａｂ）を有し、前側コア部（１１Ａｆ）は、腹側胴回り部（２０）の下端よりも上側に幅狭部（１１ｎ）を有し、上下方向において、腹側胴回り部（２０）と前側コア部（１１Ａｆ）の上部（１１ｕ）とが重なっている上部領域（Ｕ）と、腹側胴回り部（２０）と前側コア部（１１Ａｆ）の幅狭部（１１ｆｎ）とが重なっている幅狭領域（Ｎ）を有し、上下方向における、上部領域Ｕの長さをＷＵ、幅狭領域Ｎの長さをＷＮとし、左右方向において、上部領域Ｕを単位長さだけ伸長させるための力をＦＵ、幅狭領域Ｎを単位長さだけ伸長させるための力をＦＮとしたとき、ＦＮ／ＷＮ＜ＦＵ／ＷＵであるパンツ型吸収性物品（１）。【選択図】図２
2019118585.tif 000002
【特許請求の範囲】
【請求項１】
上下方向、左右方向、及び前後方向を有し、
吸収性コア、腹側胴回り部、及び背側胴回り部を有するパンツ型吸収性物品であって、
前記腹側胴回り部、及び前記背側胴回り部は、前記左右方向に伸縮する腹側胴回り伸縮部材、及び背側胴回り伸縮部材をそれぞれ有し、
前記吸収性コアは、２つ折りされており、前側に位置する前側コア部と、後側に位置する後側コア部を有し、
前記前側コア部は、前記腹側胴回り部の下端よりも上側に、上部よりも前記左右方向の長さが短い幅狭部を有し、
前記上下方向において、前記腹側胴回り部と前記前側コア部の前記上部とが重なっている上部領域と、前記腹側胴回り部と前記前側コア部の前記幅狭部とが重なっている幅狭領域を有し、
前記上下方向における、前記上部領域の長さをＷＵ、前記幅狭領域の長さをＷＮとし、
前記左右方向において、前記上部領域を単位長さだけ伸長させるための力をＦＵ、前記幅狭領域を単位長さだけ伸長させるための力をＦＮとしたとき、
ＦＮ／ＷＮ  ＜  ＦＵ／ＷＵ、
であることを特徴とするパンツ型吸収性物品。
【請求項２】
請求項１に記載のパンツ型吸収性物品において、
前記腹側胴回り伸縮部材のうち、前記幅狭領域に配置された幅狭伸縮部材の弾性係数は、前記上部領域に配置された上部伸縮部材の弾性係数よりも小さいことを特徴とするパンツ型吸収性物品。
【請求項３】
請求項１又は２に記載のパンツ型吸収性物品において、
前記背側胴回り部のうち、前記上部領域と前記前後方向において重なる領域は、背側上側領域であり、
前記背側胴回り部のうち、前記幅狭領域と前記前後方向において重なる領域は、背側下側領域であり、
前記左右方向において、前記背側上側領域を単位長さだけ伸長させるための力をＦＢ、前記背側下側領域を単位長さだけ伸長させるための力をＦＤとしたとき、
ＦＤ／ＷＮ  ＜  ＦＢ／ＷＵ、
であることを特徴とするパンツ型吸収性物品。
【請求項４】
請求項１から３のいずれか１項に記載のパンツ型吸収性物品において、
前記背側胴回り部のうち、前記上部領域と前記前後方向において重なる領域は、背側上側領域であり、
前記背側胴回り部のうち、前記幅狭領域と前記前後方向において重なる領域は、背側下側領域であり、
前記左右方向において、前記背側下側領域を単位長さだけ伸長させるための力をＦＤとしたとき、
ＦＮ／ＷＮ  ＜  ＦＤ／ＷＮ
であることを特徴とするパンツ型吸収性物品。
【請求項５】
請求項１又は２に記載のパンツ型吸収性物品において、
前記背側胴回り部のうち、前記上部領域と前記前後方向において重なる領域は、背側上側領域であり、
前記背側胴回り部のうち、前記幅狭領域と前記前後方向において重なる領域は、背側下側領域であり、
前記左右方向において、前記背側上側領域を単位長さだけ伸長させるための力をＦＢ、前記背側下側領域を単位長さだけ伸長させるための力をＦＤとしたとき、
ＦＤ／ＷＮ  ＜  ＦＢ／ＷＵ、
ＦＮ／ＷＮ  ＜  ＦＤ／ＷＮ、
であることを特徴とするパンツ型吸収性物品。
【請求項６】
請求項１から５のいずれか１項に記載のパンツ型吸収性物品において、
一対の脚回り開口部を有し、
前記脚回り開口部は、前記上下方向に伸縮する脚回り伸縮領域を有し、
前記腹側胴回り伸縮部材のうち最も下側に位置する下側腹側胴回り伸縮部材と、前記脚回り伸縮領域の少なくとも一部が交差していることを特徴とするパンツ型吸収性物品。
【請求項７】
請求項１から６のいずれか１項に記載のパンツ型吸収性物品において、
前記吸収性コアを備えた吸収性本体を有し、
前記腹側胴回り部は、肌側シート部と非肌側シート部を備え、
前記幅狭領域は、前記前後方向において、前記吸収性本体、前記肌側シート部、前記非肌側シート部、及び他のシート部が重ねられていることを特徴とするパンツ型吸収性物品。
【請求項８】
請求項７に記載のパンツ型吸収性物品において、
前記幅狭領域に配置された全ての前記腹側胴回り伸縮部材は、前記他のシート部と前記前後方向において重なることを特徴とするパンツ型吸収性物品。
【請求項９】
請求項１から８のいずれか１項に記載のパンツ型吸収性物品において、
前記幅狭領域の前記上下方向の長さは、前記上部領域の前記上下方向の長さよりも長いことを特徴とするパンツ型吸収性物品。
【請求項１０】
請求項１から９のいずれか１項に記載のパンツ型吸収性物品において、
防漏壁弾性部材、肌側に起立不能な固定部、及び肌側に起立可能な起立部を備えた一対の防漏壁を有し、
前記固定部の下端が、前記上部領域の下端よりも上側であることを特徴とするパンツ型吸収性物品。
【請求項１１】
請求項１から１０のいずれか１項に記載のパンツ型吸収性物品において、
前記腹側胴回り部は、前記腹側胴回り伸縮部材とともに伸縮する伸縮領域と、伸縮しない非伸縮領域を有しており、
前記幅狭領域における前記非伸縮領域の前記左右方向の長さが、前記上部における前記吸収性コアの前記左右方向の長さよりも長いことを特徴とするパンツ型吸収性物品。
【発明の詳細な説明】
【技術分野】
【０００１】
本発明は、パンツ型吸収性物品に関する。
【背景技術】
【０００２】
従来、吸収性物品の一例としてパンツ型使い捨てが知られている。例えば、特許文献１には、腹側シート部材２、背側シート部材３、及び吸収性コア５を有するパンツ型使い捨ておむつ１が開示されている。特許文献１に示すおむつ１では、吸収性コア５に前方括れ部５ｆを設けることで、着用者が歩きやすいようにしている。
【先行技術文献】
【特許文献】
【０００３】
【特許文献１】特開２０１３−１３６８３号公報
【発明の概要】
【発明が解決しようとする課題】
【０００４】
前方括れ部５ｆの左右方向の外側には、吸収性コア５が設けられていないため、弾性部材７を備えた腹側シート部材２が直接的に肌に接触することになる。おむつ１の着用時においては、前方括れ部５ｆの左右方向の外側に、着用者の肌に収縮した弾性部材７の跡や弾性部材７によって縮められた腹側シート部材２の皺の跡が付きやすくなる。特に、前方括れ部５ｆの左右方向の外側は、動きの多い部分である着用者のそけい部に当接する部分となるため、動きの多い部分である着用者の動きに応じて、着用者の肌に弾性部材７の収縮による赤い跡がついてしまったりする恐れがある。
【０００５】
本発明は、上記のような問題に鑑みてなされたものであって、着用時の脚回りの動きを確保しつつ、着用者が感じる履き心地を向上させることを目的とする。
【課題を解決するための手段】
【０００６】
上記目的を達成するための主たる発明は、上下方向、左右方向、及び前後方向を有し、吸収性コア、腹側胴回り部、及び背側胴回り部を有するパンツ型吸収性物品であって、前記腹側胴回り部、及び前記背側胴回り部は、前記左右方向に伸縮する腹側胴回り伸縮部材、及び背側胴回り伸縮部材をそれぞれ有し、前記吸収性コアは、２つ折りされており、前側に位置する前側コア部と、後側に位置する後側コア部を有し、前記前側コア部は、前記腹側胴回り部の下端よりも上側に、上部よりも前記左右方向の長さが短い幅狭部を有し、前記上下方向において、前記腹側胴回り部と前記前側コア部の前記上部とが重なっている上部領域と、前記腹側胴回り部と前記前側コア部の前記幅狭部とが重なっている幅狭領域を有し、前記上下方向における、前記上部領域の長さをＷＵ、前記幅狭領域の長さをＷＮとし、前記左右方向において、前記上部領域を単位長さだけ伸長させるための力をＦＵ、前記幅狭領域を単位長さだけ伸長させるための力をＦＮとしたとき、ＦＮ／ＷＮ  ＜  ＦＵ／ＷＵであることを特徴とするパンツ型吸収性物品である。
本発明の他の特徴については、本明細書及び添付図面の記載により明らかにする。
【発明の効果】
【０００７】
本発明によれば、幅狭領域の締め付け力を小さくすることで上記の部位の肌への当接力を抑制する一方、上部領域の締め付け力をより大きくすることで、着用中にパンツ型吸収性物品が下に落ちてしまう恐れを軽減させることができる。
【図面の簡単な説明】
【０００８】
【図１】図１Ａは、パンツ型使い捨ておむつ１の概略斜視図である。図１Ｂは、おむつ１の着用状態の一例を示す図である。
【図２】図２は、展開状態且つ伸長状態のおむつ１を肌側面側から見た概略平面図である。
【図３】図３は、図２中のＡ−Ａ矢視で示す概略断面図である。
【図４】図４は、図２中のＢ−Ｂ矢視で示す概略断面図である。
【図５】図５は、伸縮領域Ｄｆ、Ｄｂと非伸縮領域Ｆｆ、Ｆｂを説明する図である。
【図６】図６は、図２の概略平面図の構成を説明する概略図である。
【図７】図７は、吸収体１１を説明する図である。
【図８】図８Ａは、上部領域Ｕを単位長さだけ伸長させた状態を説明する図である。図８Ｂは、幅狭領域Ｎを単位長さだけ伸長させた状態を説明する図である。
【図９】図９Ａは、背側上側領域Ｂを単位長さだけ伸長させた状態を説明する図である。図９Ｂは、背側下側上部領域Ｄを単位長さだけ伸長させた状態を説明する図である。
【図１０】図１０Ａは、別の実施形態にかかる展開状態且つ伸長状態のおむつ１００を肌側から見た概略平面図である。図１０Ｂは、図１０中のＸ−Ｘ矢視で示す概略断面図である。
【発明を実施するための形態】
【０００９】
本明細書及び添付図面の記載により、少なくとも以下の事項が明らかとなる。
上下方向、左右方向、及び前後方向を有し、吸収性コア、腹側胴回り部、及び背側胴回り部を有するパンツ型吸収性物品であって、前記腹側胴回り部、及び前記背側胴回り部は、前記左右方向に伸縮する腹側胴回り伸縮部材、及び背側胴回り伸縮部材をそれぞれ有し、前記吸収性コアは、２つ折りされており、前側に位置する前側コア部と、後側に位置する後側コア部を有し、前記前側コア部は、前記腹側胴回り部の下端よりも上側に、上部よりも前記左右方向の長さが短い幅狭部を有し、前記上下方向において、前記腹側胴回り部と前記前側コア部の前記上部とが重なっている上部領域と、前記腹側胴回り部と前記前側コア部の前記幅狭部とが重なっている幅狭領域を有し、前記上下方向における、前記上部領域の長さをＷＵ、前記幅狭領域の長さをＷＮとし、前記左右方向において、前記上部領域を単位長さだけ伸長させるための力をＦＵ、前記幅狭領域を単位長さだけ伸長させるための力をＦＮとしたとき、ＦＮ／ＷＮ  ＜  ＦＵ／ＷＵであることを特徴とするパンツ型吸収性物品ことを特徴とするパンツ型吸収性物品である。
【００１０】
このようなパンツ型吸収性物品によれば、幅狭領域の締め付け力を小さくすることで上記の部位の肌への当接力を抑制する一方、上部領域の締め付け力をより大きくすることで、着用中にパンツ型吸収性物品が下に落ちてしまう恐れを軽減させることができる。
【００１１】
かかるパンツ型吸収性物品であって、前記腹側胴回り伸縮部材のうち、前記幅狭領域に配置された幅狭伸縮部材の弾性係数は、前記上部領域に配置された上部伸縮部材の弾性係数よりも小さいことが望ましい。
【００１２】
このようなパンツ型吸収性物品によれば、幅狭領域の締め付け力を小さくすることで前側コアの幅狭部と脚とで挟まれる部位の肌への当接力を抑制する一方、上部領域の締め付け力をより大きくすることで、着用中にパンツ型吸収性物品が下に落ちてしまう恐れを軽減させることができる。
【００１３】
かかるパンツ型吸収性物品であって、前記背側胴回り部のうち、前記上部領域と前記前後方向において重なる領域は、背側上側領域であり、前記背側胴回り部のうち、前記幅狭領域と前記前後方向において重なる領域は、背側下側領域であり、前記左右方向において、前記背側上側領域を単位長さだけ伸長させるための力をＦＢ、前記背側下側領域を単位長さだけ伸長させるための力をＦＤとしたとき、ＦＤ／ＷＮ  ＜  ＦＢ／ＷＵであることが望ましい。
【００１４】
このようなパンツ型吸収性物品によれば、腹側において吸収性コアの幅狭部と脚とで挟まれる部位の肌への当接力を抑制する一方、着用中にパンツ型吸収性物品が下に落ちてしまう恐れを軽減させることができる。
【００１５】
かかるパンツ型吸収性物品であって、前記背側胴回り部のうち、前記上部領域と前記前後方向において重なる領域は、背側上側領域であり、前記背側胴回り部のうち、前記幅狭領域と前記前後方向において重なる領域は、背側下側領域であり、前記左右方向において、前記背側下側領域を単位長さだけ伸長させるための力をＦＤとしたとき、ＦＮ／ＷＮ  ＜  ＦＤ／ＷＮであることが望ましい。
【００１６】
このようなパンツ型吸収性物品によれば、腹側における吸収性コアの幅狭部と脚とで挟まれる部位の肌への当接力を抑制する一方、着用中にパンツ型吸収性物品が下に落ちてしまう恐れをより軽減させることができる。
【００１７】
かかるパンツ型吸収性物品であって、前記背側胴回り部のうち、前記上部領域と前記前後方向において重なる領域は、背側上側領域であり、前記背側胴回り部のうち、前記幅狭領域と前記前後方向において重なる領域は、背側下側領域であり、前記左右方向において、前記背側上側領域を単位長さだけ伸長させるための力をＦＢ、前記背側下側領域を単位長さだけ伸長させるための力をＦＤとしたとき、ＦＤ／ＷＮ  ＜  ＦＢ／ＷＵ、  ＦＮ／ＷＮ  ＜  ＦＤ／ＷＮであることが望ましい。
【００１８】
このようなパンツ型吸収性物品によれば、腹側において吸収性コアの幅狭部と脚とで挟まれる部位の肌への当接力を抑制する一方、着用中にパンツ型吸収性物品が下に落ちてしまう恐れを軽減させることができる。
【００１９】
かかるパンツ型吸収性物品であって、一対の脚回り開口部を有し、前記脚回り開口部は、前記上下方向に伸縮する脚回り伸縮領域を有し、前記腹側胴回り伸縮部材のうち最も下側に位置する下側腹側胴回り伸縮部材と、前記脚回り伸縮領域の少なくとも一部が交差していることが望ましい。
【００２０】
このようなパンツ型吸収性物品によれば、脚回り開口部は、下側腹側胴回り伸縮部材と脚回り伸縮部材の伸長によって着用者の脚にフィットするため、脚回り開口部を環状に伸長させやすくすることができる。
【００２１】
かかるパンツ型吸収性物品であって、前記吸収性コアを備えた吸収性本体を有し、前記腹側胴回り部は、肌側シート部と非肌側シート部を備え、前記幅狭領域は、前記前後方向において、前記吸収性本体、前記肌側シート部、前記非肌側シート部、及び他のシート部が重ねられていることが望ましい。
【００２２】
このようなパンツ型吸収性物品によれば、他のシート部を重ねることで、幅狭領域の剛性を向上させて、幅狭領域における締め付け力を軽減させることができる。
【００２３】
かかるパンツ型吸収性物品であって、前記幅狭領域に配置された全ての前記腹側胴回り伸縮部材は、前記他のシート部と前記前後方向において重なることが望ましい。
【００２４】
このようなパンツ型吸収性物品によれば、幅狭領域における締め付け力をより軽減させることができる。
【００２５】
かかるパンツ型吸収性物品であって、前記幅狭領域の前記上下方向の長さは、前記上部領域の前記上下方向の長さよりも長いことが望ましい。
【００２６】
このようなパンツ型吸収性物品によれば、幅狭領域の上下方向の長さが、上部領域の上下方向の長さよりも短い場合よりも、腹側の脚回りで吸収性コアがもたついたり、身体の動きに応じて吸収性コアが身体から離れてしまったりする恐れを軽減させることができる。
【００２７】
かかるパンツ型吸収性物品であって、防漏壁弾性部材、肌側に起立不能な固定部、及び肌側に起立可能な起立部を備えた一対の防漏壁を有し、前記固定部の下端が、前記上部領域の下端よりも上側であることが望ましい。
【００２８】
このようなパンツ型吸収性物品によれば、上部領域の下端よりも固定部の下端が下側にある場合よりも、防漏壁の起立部を起立させるための領域をより広く設けることができるため、排泄物が漏れる恐れをより軽減させることができる。
【００２９】
かかるパンツ型吸収性物品であって、前記腹側胴回り部は、前記腹側胴回り伸縮部材とともに伸縮する伸縮領域と、伸縮しない非伸縮領域を有しており、前記幅狭領域における前記非伸縮領域の前記左右方向の長さが、前記上部における前記吸収性コアの前記左右方向の長さよりも長いことが望ましい。
【００３０】
このようなパンツ型吸収性物品によれば、幅狭領域における、非伸縮領域の左右方向の長さが、上部における吸収性コアの左右方向の長さよりも短い場合に比べて、幅狭領域の締め付け力を小さくすることができる。
【００３１】
＝＝＝実施形態＝＝＝
＜＜＜パンツ型使い捨ておむつの基本構成＞＞＞
図１Ａは、パンツ型使い捨ておむつ１の概略斜視図である。図１Ｂは、おむつ１の着用状態の一例を示す図である。図２は、展開状態且つ伸長状態のおむつ１を肌側面側から見た概略平面図である。図３は、図２中のＡ−Ａ矢視で示す概略断面図である。図４は、図２中のＢ−Ｂ矢視で示す概略断面図である。「展開状態」とは、おむつ１の両側部の、腹側胴回り部２０の側部２０ａと背側胴回り部３０の側部３０ａとの接合をそれぞれ分離し、開いておむつ１全体を平面的に展開した状態である。「伸長状態」とは、おむつ１の皺が視認できなくなる程度まで、おむつ１が備える伸縮部材を伸長させた状態を示す。具体的には、おむつ１を構成する各部材（例えば、後述する腹側胴回り部２０等）の寸法がその部材単体の寸法と一致又はそれに近い寸法になるまで伸長させた状態を示す。図２中のＣ−Ｃ線は左右方向における中心線である。図３では、便宜上、接着剤を省略して示している。
【００３２】
図１に示すように、パンツ型のおむつ１は上下方向と左右方向と前後方向とを有し、おむつ１には胴回り開口部ＢＨ及び一対の脚回り開口部ＬＨが形成されている。上下方向において、胴回り開口部ＢＨ側を上側とし、着用者の股下となる側を下側とする。図２の状態（展開かつ伸長状態）のおむつ１の上下方向を「長手方向」、長手方向の一方側を「腹側」、他方側を「背側」ともいい、長手方向における中央部Ｃ１０側を「下側」ともいう。前後方向において、着用者の腹側となる側を前側とし、着用者の背側となる側を後側とする。また、おむつ１は図３に示すように厚さ方向を有し、厚さ方向において着用者に接触する側を肌側とし、その逆側を非肌側とする。
【００３３】
おむつ１は、所謂３ピースタイプであり、吸収性本体１０と腹側胴回り部２０、背側胴回り部３０とを有する。腹側胴回り部２０は、着用者の腹側を覆い、背側胴回り部３０は、着用者の背側を覆う。吸収性本体１０は平面視略長方形形状である。図３に示すように、吸収性本体１０の腹側の上端部と背側の上端部は、それぞれ胴回り部２０、３０の肌側面と重ね合されている。腹側胴回り部２０、背側胴回り部３０は平面視略長方形状であり、その長手方向が左右方向に沿っている。
【００３４】
図２の展開状態にて示されるように、おむつ１は、中心線Ｃ−Ｃに対して左右対称な形状を有している。吸収性本体１０の腹側の上端部、及び背側の上端部のそれぞれ非肌側面と胴回り部２０、３０の肌側面とを接着剤等（不図示）により接合し、図２に示す展開状態から、腹側胴回り部２０と背側胴回り部３０とが対向するように吸収性本体１０を中央部Ｃ１０で二つ折りし、腹側胴回り部２０の左右方向の両側部２０ａと背側胴回り部３０の左右方向の両側部３０ａとを接合することにより、おむつ１はパンツ型となる。
【００３５】
腹側胴回り部２０及び背側胴回り部３０はそれぞれ、不織布等の柔軟な肌側シート２１、３１と非肌側シート２２、３２と、胴回り伸縮部材２３、３３とを備える。胴回り伸縮部材２３、３３によって、腹側胴回り部２０及び背側胴回り部３０は伸縮可能となり、着用者の胴回りにフィットする。肌側シート２１、３１及び非肌側シート２２、３２は、各シート単体としては、左右方向に伸縮性を実質的に有さない非伸縮シートである。肌側シート２１、３１及び非肌側シート２２、３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシート等を用いることができる。
【００３６】
腹側胴回り部２０の非肌側シート２２は、非肌側シート部２２ａ、折り返し上端部２２ｕ、及び折り返し下端部（他のシート部）２２ｂを有している。非肌側シート部２２ａは、非肌側シート２２のうち最も非肌側に位置するシート部である。折り返し上端部２２ｕは、非肌側シート２２が肌側に折り返された部分である。折り返し下端部２２ｂは、非肌側シート２２が肌側に折り返された部分である。なお、折り返し上端部２２ｕは、吸収性本体１０よりも肌側に設けられており、折り返し下端部２２ｂは、吸収性本体１０よりも非肌側に設けられている。背側胴回り部３０の非肌側シート３２の上端部は、肌側に折り返された折り返し上端部３２ｕを形成している。
【００３７】
腹側胴回り伸縮部材２３は、左右に伸縮する複数の糸ゴム２３ａと上下及び左右方向に伸縮する伸縮シート２３ｂである。糸ゴム２３ａは、肌側シート２１と非肌側シート２２との間で、且つ、腹側胴回り部２０の上端部を除く全域に上下方向に間隔を空けて、左右方向に伸長した状態で固定されている。伸縮シート２３ｂは、非肌側から肌側に折り返された非肌側シート２２と肌側シート２１との間で、吸収性本体１０よりも非肌側に配置され、且つ、腹側胴回り部２０の上端部に、左右方向に伸長した状態で固定されている。伸縮シート２３ｂは、弾性を有する熱可塑性エラストマー性繊維であるポリウレタン系エラストマーと、非弾性を有する熱可塑性樹脂性繊維であるポリオレフィン系樹脂のポリプロピレン（ＰＰ）とを有する、ギア延伸等の適宜な延伸処理が施された不織布やプラスチック製の伸縮性を有するフィルムシート等やプラスチック製の伸縮性を有するフィルムシート等である。
【００３８】
このように、腹側胴回り部２０の上端部に糸ゴム２３ａを配置せずに伸縮シート２３ｂを配置することで、腹側胴回り部２０の上端部が面で着用者にフィットする。そのため、腹部の局所的な締め付けを抑え、腹側胴回り伸縮部材２３によって肌に締め付けた跡が残り難くすることができる。特に、乳幼児の腹部は、背側に比べて前にせり出しているため、腹側胴回り２０が局所的に締め付けてしまう恐れを軽減することがより好ましい。
【００３９】
背側胴回り伸縮部材２３は、背側胴回り部３０の上端部から下端部に亘って上下方向に間隔を空けて配された、左右方向に伸縮する複数の糸ゴム３３であり、肌側シート３１と非肌側シート３２との間に左右方向に伸長した状態で固定されている。
【００４０】
なお、腹側胴回り部２０及び背側胴回り部３０は、それぞれ腹側胴回り伸縮部材２３及び背側胴回り伸縮部材３３とともに伸縮する伸縮領域Ｄｆ、Ｄｂと、腹側胴回り伸縮部材２３及び背側胴回り伸縮部材３３とともに伸縮しない非伸縮領域Ｆｆ、Ｆｂを有する。図５は、伸縮領域Ｄｆ、Ｄｂと非伸縮領域Ｆｆ、Ｆｂを説明する図である。図５において、右斜め下のハッチングで伸縮領域Ｄｆ、Ｄｂを示し、左斜め下のハッチングで非伸縮領域Ｆｆ、Ｆｂを示している。非伸縮領域Ｆｆ、Ｆｂは、腹側胴回り部２０及び背側胴回り部３０のそれぞれ左右方向の中央部で、長方形であり、吸収性コア１１Ａと前後方向で重なる領域に設けられている。非伸縮領域Ｆｆ、Ｆｂを設けることで、伸縮部材２３、３３の収縮によって吸収性コア１１Ａが左右方向に縮められて変形してしまう恐れを軽減している。
【００４１】
図４は、図２中のＢ−Ｂ矢視で示す概略断面図である。図４は、厚さ方向に関して構成を理解しやすいように寸法を適宜変更して示している。図４に示すように、吸収性本体１０は、厚さ方向の肌側から順に、一対の防漏壁部材１５、トップシート１２、吸収体１１と、バックシート１３、外装シート１４とを備え、それぞれホットメルト等の接着剤によって接着されている。
【００４２】
トップシート１２は液透過性シートであればよく、親水性のエアスルー不織布やスパンボンド不織布等を例示できる。バックシート１３は液不透過性シートであればよく、ポリエチレンフィルムやポリプロピレンフィルム、疎水性のＳＭＳ不織布等を例示できる。トップシート１２及びバックシート１３は吸収体１１全体を覆う大きさとする。防漏壁部材１５及び外装シート１４は、液透過性シートでも液不透過性シートでもよく、疎水性のＳＭＳ不織布等を例示できる。ただし、本実施形態では防漏壁部材１５及び外装シート１４によって防漏壁部５０及びレッグギャザー部６０がそれぞれ形成されるため、防漏壁部材１５及び外装シート１４は液不透過性の素材で構成されることが好ましい。
【００４３】
一対の防漏壁部材１５は、一対の防漏壁部５０を構成する。一対の防漏壁部５０は、所謂立体ギャザーであり、吸収性本体１０の長手方向に沿って、吸収体１１の左右方向の両側部に設けられている。具体的には、複数の防漏壁伸縮部材５１を内側に挟んだ状態で二つ折りされた防漏壁部材１５の折り目部分を左右方向の内側に配置し、吸収性本体１０の左右方向の側端から吸収体１１の左右方向の側部に重ね合される位置まで設けている。
【００４４】
図６は、図２の概略平面図の構成を説明する概略図である。なお、図６では、便宜上、図２の概略平面図から胴回り伸縮部材２３、３３やスリットＳ等を省略して示している。一対の防漏壁部５０は、外装シート１４やトップシート１２に防漏壁部材１５を接合する一対のエンド接合部５２と一対のサイド接合部５３と、長手方向（上下方向）に伸縮する複数の防漏壁伸縮部材５１を備え、肌側に起立不能な一対の固定部５５、５５と、肌側に起立可能な一対の起立部５６を備える。防漏壁部５０のうち、腹側胴回り部２０の側の上端からエンド接合部５２の下端まで、及び背側胴回り部３０の側の上端からエンド接合部５２の下端までの各領域が固定部５５である。そして、防漏壁部５０のうち、腹側胴回り部２０の側におけるエンド接合部５２の下端より下側で、且つ、背側胴回り部３０の側におけるエンド接合部５２の下端より下側の領域が起立部５６である。この防漏壁部５０によって横流れした排泄物が堰き止められる。
【００４５】
一対のエンド接合部５２及び一対のサイド接合部５３は、ホットメルト接着剤等の接着剤で接合している部分である。なお、エンド接合部５２及びサイド接合部５３の接合は、接着剤による固定に限らず、圧搾や圧着等により固定を行ってもよい。
【００４６】
一対のエンド接合部５２は、吸収性本体１０の長手方向の両端部に配置されており、固定部５５を肌側に起立不能とするための「接着部」である。エンド接合部５２は、長手方向において、吸収性本体１０の端から吸収体１１の上側端部に重なる位置まで設けられている。一対のサイド接合部５３は、吸収性本体１０の長手方向の一端から他端まで設けられているものと吸収性本体１０の腹側の端から長手方向の中央部Ｃ１０まで設けられているものとがある。それぞれエンド接合部５２よりも左右方向の外側に配置されている。
【００４７】
防漏壁部５０は、防漏壁伸縮部材５１の収縮によって、サイド接合部５３に左右方向内側から隣接する部分を基点に起立部５６が肌側に起立可能となる。なお、複数本の防漏壁伸縮部材５１をそれぞれ離間させて設けることで、防漏壁部５０の起立状態では、着用者の肌に防漏壁部５０を面で接触させやすくなり、肌触りを向上させることができる。
【００４８】
外装シート１４は、脚回り伸縮部材１６を備えた一対のレッグギャザー部６０を構成する。レッグギャザー部６０は、脚回り開口部ＬＨを形成する部分であり、脚回り伸縮部材１６の収縮により着用者の脚にフィットする。
【００４９】
左右方向の両端部が内側に折り返されており、折り返された外装シート１４同士の間に脚回り伸縮部材１６を配置して、レッグギャザー部６０を構成する。脚回り伸縮部材１６は、長手方向に沿った複数本の糸ゴムであり、左右方向の内側に折り返されて２層となった外装シート１４の間に、吸収性本体１０の長手方向に伸長された状態で固定されている。
【００５０】
脚回り伸縮部材１６として糸ゴムを用いる場合、複数本配置することが好ましく、より好ましくは５本以上配置することがよい。図２等においては、８本の脚回り伸縮部材１６を左右方向に並べて配置している。仮に脚回り伸縮部材１６が１本の場合には、着用者の脚を局所的に締め付けてしまう恐れがあるが、脚回り伸縮部材１６をより多く設けることで、レッグギャザー部６０は全体的に面でフィットしやすくなり、着用者の脚を局所的に締め付けてしまう恐れを軽減させることができる。
【００５１】
吸収体１１は、平面視略矩形形状であり、尿等の液体を吸収して保持する吸収性コア１１Ａと、吸収性コア１１Ａの外周面を被覆するコアラップシート１１Ｂとを備える。図７は、吸収体１１を説明する図である。コアラップシート１１Ｂとしては、ティッシュペーパーや不織布等の液透過性シートを例示できる。図７において、便宜上、コアラップシート１１Ｂに覆われた吸収性コア１１Ａを実線で示している。
【００５２】
吸収性コア１１Ａは、高吸収性ポリマー（ＳＡＰ）を含むパルプ等の液体吸収性繊維を略砂時計形状に成形されたものである。本実施形態において、吸収性コア１１Ａの液体吸収性繊維の坪量は、吸収性コア１１Ａ全域において略均一である。吸収性コア１１Ａのうち、中央部Ｃ１０より腹側（前側）に位置する部分は前側コア部１１Ａｆであり、中央部Ｃ１０より背側（後側）に位置する部分は後側コア部１１Ａｂである。後側コア部１１Ａｂに、厚さ方向（前後方向）に貫通したスリットＳを備えることで、吸収性コア１１Ａが着用者のお尻の形状に沿いやすくしている。
【００５３】
図７等に示すように、吸収性コア１１Ａの長手方向の中央部を左右方向の長さを短くし、くびれさせている。具体的には、前側コア部１１Ａｆの上部１１ｆｕより下側に前側幅狭部（「幅狭部」ともいう。）１１ｆｎと、後側コア部１１Ａｂの上部１１ｂｕより下側に後側幅狭部１１ｂｎを設けている。前側幅狭部１１ｆｎの長手方向の長さは、後側幅狭部１１ｂｎの長手方向の長さよりも長い。また、吸収性コア１１Ａの左右方向の長さが一番短い部分である最狭部１１ｎは、前側コア部１１Ａｆの前側幅狭部１１ｆｎに設けられている。前側幅狭部１１ｆｎの上下方向の長さは、後側幅狭部１１ｂｎの上下方向の長さよりも長い。
【００５４】
図２等に示すように、おむつ１は、上下方向において、腹側胴回り部２０と前側コア部１１Ａｆの上部１１ｆｕと重なる上部領域Ｕと、腹側胴回り部２０と前側コア部１１Ａｆの前側幅狭部１１ｆｎと重なる幅狭領域Ｎを有する。パンツ型のおむつ１において、腹側胴回り部２０の上部領域Ｕと前後方向において重なる後側胴回り部３０の領域は、背側上側領域Ｂであり、腹側胴回り部２０の幅狭領域Ｎと前後方向において重なる後側胴回り部３０の領域は、背側下側領域Ｄである。つまり、パンツ型のおむつ１は、上部領域Ｕと背側上側領域Ｂで環状を形成し、幅狭領域Ｎと背側下側領域Ｄで環状を形成する。
【００５５】
なお、おむつ１の伸長状態において、上部領域Ｕ及び背側上側領域Ｂの上下方向の長さはＷＵであり、幅狭領域Ｎ及び背側下側領域Ｄの上下方向の長さはＷＮである。また、上部領域Ｕ、背側上側領域Ｂ、上部領域Ｕ及び背側上側領域Ｂの左右方向の長さはＷである。
【００５６】
腹側胴回り伸縮部材２３のうち、上部領域Ｕに配置された伸縮部材は上部伸縮部材２３ｕ、２３ｕ・・・であり、幅狭領域Ｎに配置された伸縮部材は幅狭伸縮部材２３ｎ、２３ｎ・・・である。
【００５７】
通常、乳幼児は脚を前に出した姿勢でいることが多いため、比較的剛性が高い吸収体１１が乳幼児の脚の動きを阻害する恐れを軽減させることを目的として、図７に示すように、吸収性コア１１Ａの、最狭部１１ｎを前側コア部１１Ａｆに設け、且つ、前側幅狭部１１ｆｎの上下方向の長さを、後側幅狭部１１ｂｎの上下方向の長さよりも長く設けている。そして、腹側胴回り部２０の下端よりも上側に、前側幅狭部１１ｆｎを設けている。
【００５８】
しかし、腹側胴回り部２０の下端よりも上側に、前側幅狭部１１ｆｎを設けることで、前側幅狭部１１ｆｎの左右方向の外側に、腹側胴回り伸縮部材２３を備えた腹側部材２０が配置され、吸収性コア１１Ａが設けられていない領域Ｖ（図１Ａ及び図２参照）が設けられる。吸収性コア１１Ａは腹側胴回り部２０等よりも剛性が高いが、領域Ｖには吸収性コア１１Ａが設けられていないため、領域Ｖは腹側胴回り伸縮部材２３の収縮力を乳幼児の肌に伝えやすくなる。特に、着用状態において、領域Ｖは、乳幼児のそけい部に当接する部分となるため、動きの多い部分である。そのため、乳幼児の動きに伴って、収縮した腹側胴回り伸縮部材２３が領域Ｖの乳幼児の肌に強く当接し、乳幼児の肌に収縮した腹側胴回り伸縮部材２３の跡が付いてしまう恐れがある。また、領域Ｖにおいて、腹側胴回り伸縮部材２３の収縮によって形成された腹側胴回り部材２０の皺が乳幼児の肌に当接することで乳幼児の肌が赤くなってしまう恐れがある。
【００５９】
おむつ１においてはおむつ１に働く左右方向の収縮力を工夫することで、乳幼児が感じる履き心地を向上させている。以下、おむつ１の左右方向の収縮力について説明する。
【００６０】
＝＝＝おむつ１の左右方向の収縮力＝＝＝
おむつ１の左右方向の収縮力とは、伸長した状態の腹側胴回り伸縮部材２３及び背側胴回り伸縮部材３３を左右方向の内側に向かって収縮させる力をいい、具体的には、伸長した状態の腹側胴回り部２０及び背側胴回り部３０を左右方向の内側に向かって収縮させる力をいう。なお、左右方向の「収縮力」とは、左右方向の「伸長力」である。そのため、腹側胴回り部２０及び背側胴回り部３０を左右方向の外側に向かって所定の力で伸長させた場合には、腹側胴回り部２０及び背側胴回り部３０は、左右方向の内側に向かって所定の力で収縮する。例えば、自然状態のおむつ１を伸長状態のおむつ１にするために必要な伸長力と、伸長状態のおむつ１が自然状態のおむつ１に戻ろうとする収縮力は等しい。以下、「伸長力」に代えて、「収縮力」ということもある。
【００６１】
おむつ１の上部領域Ｕを単位長さだけ左右方向に伸長させるための力をＦＵ、幅狭領域Ｎを単位長さだけ左右方向に伸長させるための力をＦＮとしたとき、ＦＮ／ＷＮ＜ＦＵ／ＷＵである。上部領域Ｕ及び幅狭領域Ｎの単位長さだけ左右方向に伸長させた状態とは、上述の「伸長状態」だけでなく、上部領域Ｕ及び幅狭領域Ｎを所定の長さだけ左右方向に伸長させた状態も含む。例えば、単位長さを５０ｍｍとすることができる。図８Ａは、上部領域Ｕを単位長さだけ伸長させた状態を説明する図である。図８Ｂは、幅狭領域Ｎを単位長さだけ伸長させた状態を説明する図である。なお、上部領域Ｕを単位長さだけ左右方向に伸長させるための力ＦＵ、幅狭領域Ｎを単位長さだけ左右方向に伸長させるための力ＦＮは、それぞれ腹側胴回り部２０だけでなく、腹側胴回り部２０に重ねられている吸収性本体１０を含む領域を左右方向に伸長させる力である。
【００６２】
腹側胴回り弾性部材２３は、着用状態のおむつ１を着用者の身体にフィットさせ、排泄物を吸収して重くなった吸収性本体１０によって下側に落ちてしまわないようにするために、一定の収縮力が必要である。上部領域Ｕにおいては、一定の収縮力を備えることで、おむつ１が下がってしまう恐れを軽減している。
【００６３】
一方、幅狭領域Ｎは、吸収性コア１１Ａの左右方向の長さを上部領域Ｕよりも短くしているため、前側幅狭部１１ｆｎの左右方向の外側の領域である領域Ｖは、吸収性コア１１Ａが存在していないため、腹側胴回り伸縮部材２３の収縮力を受けやすい。この腹側胴回り伸縮部材２３の収縮力による影響を軽減させるために、おむつ１は、幅狭領域Ｎにおける収縮力を上部領域Ｕの収縮力よりも小さくしている。このようにすることで、着用状態において、乳幼児の肌に収縮した腹側胴回り伸縮部材２３の跡が残ってしまったり、腹側胴回り伸縮部材２３の収縮によって形成された腹側胴回り部２０の皺が肌に当接してしまったりして、乳幼児の肌を赤くしてしまう恐れを軽減させることができる。これによって、おむつ１の着用状態において、乳幼児が脚を動かしやすくなるとともに、乳幼児に部分的な痛みを感じさせたり、違和感を生じさせたりすることを軽減して、おむつ１の履き心地を向上させることができる。
【００６４】
上部領域Ｕを単位長さだけ左右方向に伸長させるための力ＦＵ及び幅狭領域Ｎを単位長さだけ左右方向に伸長させるための力ＦＮは、以下のようにして測定することができる。
【００６５】
まず、パンツ型のおむつ１の両側部の、腹側胴回り部２０の側部２０ａと背側胴回り部３０の側部３０ａとの接合をそれぞれ分離する。そして、図８Ａ及び図８Ｂに示す領域Ｕと領域Ｎをそれぞれ切り取る。つまり、左右方向の長さＷで上下方向の長さがＷＵの領域Ｕの試験片と、左右方向の長さがＷで上下方向の長さがＷＮの領域Ｎの試験片をそれぞれ準備する。各試験片の左右方向の両端を上下に固定した状態で、引張試験機（インストロン社）を用いて引張速度１００ｍｍ／ｍｉｎで引っ張って、引張荷重を測定することで、各試験片、つまり領域Ｕと領域Ｎの各伸長力ＦＵ、ＦＮを測定することができる。
【００６６】
各幅狭伸縮部材２３ｎの弾性係数を、各上部伸縮部材２３ｕの弾性係数よりも小さくすることで、ＦＮ／ＷＮ＜ＦＵ／ＷＵとすることが可能である。また、各伸縮部材の長さや太さ、伸縮部材の数を変化させたりしてもよい。
【００６７】
背側上側領域Ｂを単位長さだけ左右方向に伸長させるための力をＦＢ、背側下側領域Ｄを単位長さだけ左右方向に伸長させるための力をＦＤとしたとき、ＦＤ／ＷＮ＜ＦＢ／ＷＵであることが好ましく、さらに、ＦＮ／ＷＮ＜ＦＤ／ＷＵであることがより好ましい。
図９Ａは、背側上側領域Ｂを単位長さだけ伸長させた状態を説明する図である。図９Ｂは、背側下側上部領域Ｄを単位長さだけ伸長させた状態を説明する図である。パンツ型のおむつ１においては、背側上側領域Ｂは上部領域Ｕとともに環状を形成し、背側下側領域Ｄは幅狭領域Ｎとともに環状を形成する。そのため、背側上側領域Ｂに設けられた背側胴回り伸縮部材３３は、背側上側領域Ｂとともに上部領域Ｕをより強く収縮させるため、乳幼児の胴回りへの収縮力を確保しておむつ１が下へ落ちてしまう恐れを軽減させることができる。一方、背側下側領域Ｄに設けられた背側胴回り伸縮部材３３は、背側下側領域Ｄとともに幅狭領域Ｎを収縮させる。そのため、背側下側領域Ｄにおける収縮力をより小さくすることで、着用状態において、乳幼児の肌に収縮した腹側胴回り伸縮部材２３の跡が残ってしまったり、腹側胴回り伸縮部材２３の収縮によって形成された腹側胴回り部２０の皺が肌に当接してしまったりして、乳幼児の肌を赤くしてしまう恐れを軽減させることができる。
【００６８】
また、図２に示すように腹側胴回り伸縮部材２３のうち最も下側に位置する下側腹側胴回り伸縮部材２３ａｎ、つまり、幅狭伸縮部材２３ｎのうち最も下側に位置する伸縮部材と、脚回り伸縮部材１６が交差していることが好ましい。下側腹側胴回り伸縮部材２３ａｎと脚回り伸縮部材１６は、脚回り開口部ＬＨに伸縮を付与する部分であるため、下側腹側胴回り伸縮部材２３ａｎと脚回り伸縮部材１６が交差することで、脚回り開口部ＬＨを環状に伸長させやすくすることができ、脚回り開口部を乳幼児の脚にフィットさせやすくなる。
【００６９】
図３に示すように、幅狭領域Ｎにおいて、前後方向に吸収性本体１０、肌側シート２１、非肌側シート部２２ａだけでなく、折り返し下端部２２ｂが重ねられていることが好ましい。これによって、折り返し下端部２２ｂを設けていない場合よりも幅狭領域Ｎの剛性を向上させて、幅狭伸縮部材２３ｎの伸縮に対するクッションとしての役割を果たすことができる。つまり、折り返し下端部２２ｂを設けることで、幅狭領域Ｎの肌当たりがより柔らかくなる。なお、非肌側シート２２のように、柔軟なシート部材を折り返し下端部２２ｂとして用いることで、乳幼児の脚の動きを阻害する恐れを軽減しつつ、おむつ１の幅狭領域Ｎにおける乳幼児の肌への当接をより柔らかいものにすることができる。
【００７０】
さらに、幅狭伸縮部材２３ｎの全てが折り返し下端部２２ｂと前後方向において重なっていることがより好ましい。幅狭領域Ｎにおける肌当たりをより柔らかくすることができるため、乳幼児の履き心地を向上させることができる。
【００７１】
また、幅狭領域Ｎの上下方向の長さＷＮが、上部領域Ｕの上下方向の長さＷＵよりも長いことが好ましい（ＷＮ＞ＷＵ）。このようにすることで、長さＷＮが長さＷＵよりも短い場合よりも、腹側で乳幼児の脚が吸収性コア１１Ａのせいでもたついたり、乳幼児の脚の動きによって吸収性コア１１Ａが変形してしまって、吸収性本体１０が乳幼児の身体から離れてしまったりする恐れを軽減させることができる。
【００７２】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７３】
上述の実施形態においては、非肌側シート２２を折り返した非肌側シート部２２ａによって幅狭領域Ｎにおける肌当たりを柔らかくしたがこれに限られない。前後方向において、幅狭領域Ｎに別の部材を重ねてもよい。図１０Ａは、別の実施形態にかかる展開状態且つ伸長状態のおむつ１００を肌側から見た概略平面図である。図１０Ｂは、図１０中のＸ−Ｘ矢視で示す概略断面図である。別の実施形態にかかるおむつ１００は、図１０Ａ及び図１０Ｂに示すように、腹側胴回り部２０及び背側胴回り部３０と、吸収性本体１０との間にシート部材（他のシート部）１５０を備えている。幅狭領域Ｎでは、シート部材１５０が、吸収性本体１０、肌側シート２１、非肌側シート２２に前後方向において重ねられている。そのため、シート部材１５０が幅狭伸縮部材２３ｎに対するクッションの役割となり、幅狭領域Ｎにおける肌当たりをより柔らかくすることができるため、おむつ１００の履き心地を向上させることができる。
【００７４】
また、上述の実施形態においては、腹側胴回り部２０の非伸縮領域Ｆｆの形を長方形としたがこれに限られない。つまり、上部領域Ｕにおける非伸縮領域Ｆｆの左右方向の長さと、幅狭領域Ｎにおける非伸縮領域Ｆｆの左右方向の長さを同じ長さとしたが、これに限らない。上部領域Ｕにおける非伸縮領域Ｆｆの左右方向の長さと、幅狭領域Ｎにおける非伸縮領域Ｆｆの左右方向の長さは任意に設けることができる。例えば、幅狭領域Ｎにおける非伸縮領域Ｆｆの左右方向の長さを、上部領域Ｕにおける非伸縮領域Ｆｆの左右方向の長さより長くしてもよい。このようにすることで、幅狭領域Ｎにおける非伸縮領域Ｆｆの左右方向の長さを、上部領域Ｕにおける非伸縮領域Ｆｆの左右方向の長さより短くした場合よりも、幅狭領域Ｎに働く伸縮力を小さくすることができ、乳幼児が感じる履き心地を向上させることができる。
【００７５】
さらに、防漏壁部５０の固定部５５の下端、つまりエンド接合部５２の下端が、上部領域Ｕの下端よりも上側に位置してもよい。このようにすることで、防漏壁部５０の固定部５５の下端が上部領域Ｕの下端よりも下側に位置する場合よりも防漏壁部５０の起立部５６の上下方向の長さをより広く設けることができる。そのため、排泄物が左右方向の外側に漏れてしまう恐れを軽減させることができる。
【００７６】
上述の実施形態においては、腹側胴回り部２０、背側胴回り部３０、防漏壁部５０、及び脚回り部６０が備える伸縮部材（２２、３２、５１、１６）として糸ゴム及び伸縮シートを例示しているがこれに限らない。例えば、糸ゴムや伸縮シートだけでなく、伸縮性フィルム等のシート状の伸縮部材を単数又は複数配してもよい。また、図面には伸縮部材のうち伸縮性を発現する部位（所謂有効長の部位）のみを示している。そのため図示する伸縮部材の長手方向の外側に伸縮性を発現しない伸縮部材の部位が存在していてもよい。また、伸縮部材の配置や本数も図示する構成に限らない。
【００７７】
本実施形態においては、上述の実施形態においては、パンツ型吸収性物品は、腹側胴回り部２０と背側胴回り部３０と吸収性本体１０とを有する所謂３ピースタイプの使い捨ておむつとして説明したがこれに限られない。例えば、外装シート１４が腹側胴回り部２０と後胴回り３０とを繋いで一体化されたおむつ（所謂２ピースタイプ）であってもよい。
【符号の説明】
【００７８】
１、１００  おむつ（パンツ型使い捨ておむつ、パンツ型吸収性物品）、
１０  吸収性本体、
１１  吸収体、
１１Ａ  吸収性コア、１１Ｂ  コアラップシート、
１１Ａｆ  前側コア部、１１Ａｂ  後側コア部、
１１ｆｕ  上部、１１ｆｎ  前側幅狭部（幅狭部）、
１１ｂｕ  上部、１１ｂｎ  後側幅狭部（幅狭部）、１１ｎ  最狭部、
１２  トップシート、１３  バックシート、
１４  外装シート、１５  防漏壁部材、１６  脚回り伸縮部材、
２０  腹側胴回り部、２０ａ  側部、
２１  肌側シート（肌側シート部）、２２  非肌側シート、
２２ａ  非肌側シート部、２２ｕ  折り返し上端部、
２２ｂ  折り返し下端部（他のシート部）、
２３  腹側胴回り伸縮部材、２３ａ  糸ゴム、２３ｂ  伸縮シート、
２３ａｎ  下側腹側胴回り伸縮部材、
２３ｕ  上部伸縮部材、２３ｎ  幅狭伸縮部材、
３０  背側胴回り部、３０ａ  側部、
３１  肌側シート、３２  非肌側シート、３２  折り返し上端部、
３３  背側胴回り伸縮部材、
５０  防漏壁部、５１  防漏壁伸縮部材、
５２  エンド接合部、５３  サイド接合部、
５５  固定部、５６  起立部、
６０  レッグギャザー部、
１５０  シート部材（他のシート部）、
ＬＨ  脚回り開口部、ＢＨ  胴回り開口部、
Ｄｆ  伸縮領域、Ｄｂ  非伸縮領域、
Ｆｆ  伸縮領域、Ｄｂ  非伸縮領域、
Ｅ  圧搾部、
Ｕ  上部領域（上部領域）、Ｎ  幅狭領域、
Ｂ  背側上部領域、Ｄ  背側下側領域、
Ｓ  スリット、Ｖ  領域
【図１】
2019118585.tif 000003
【図２】
2019118585.tif 000004
【図３】
2019118585.tif 000005
【図４】
2019118585.tif 000006
【図５】
2019118585.tif 000007
【図６】
2019118585.tif 000008
【図７】
2019118585.tif 000009
【図８】
2019118585.tif 000010
【図９】
2019118585.tif 000011
【図１０】
2019118585.tif 000012